(57)【要約】    【課題】  拭材により隙間や細部等の清掃対象箇所を効率的に清掃することができる清掃用器具及び清掃具の提供。    【解決手段】  横断面円形状棒状体Ｂの一端部にへら状の清掃用端部Ａ１を有し、他端部には略円錐状で先端部は半球面状の尖状をなす清掃用端部Ａ２を有する。棒状体Ｂの中央部に、棒状体Ｂの軸線方向に直交する方向に貫通する、拭材Ｃを挿通保持するための挿通保持孔Ｂ１を有する。挿通保持孔Ｂ１は、棒状体Ｂの軸線方向に細長く、中央部に、棒状体Ｂの軸線方向に直交し且つ挿通保持孔Ｂ１の貫通方向に直交する方向の寸法が他の部分より拡大した拡大部Ｂ１ａを有する。挿通保持孔Ｂ１の拡大部Ｂ１ａ以外の部分における両端部に近い位置に、拭材Ｃ保持用の突起部Ｂ２を有する。【選択図】      図１
2019118872.tif 000002
【特許請求の範囲】
【請求項１】
少なくとも一端部が尖形状をなす清掃用端部である棒状体の軸線方向における中間部に、棒状体の軸線方向に交差する方向に貫通する拭材用の挿通保持孔を有する清掃用器具であって、
前記挿通保持孔は、棒状体の軸線方向に細長く、その挿通保持孔における、棒状体の軸線方向において前記清掃用端部側の端部から逆側へ離れた位置に、棒状体の軸線方向に直交し且つ挿通保持孔の貫通方向に直交する方向の寸法が拡大した拡大部を有することを特徴とする清掃用器具。
【請求項２】
清掃用端部を棒状体の軸線方向の両端部に有し、棒状体の軸線方向において挿通保持孔の中間部に１箇所の拡大部を有する請求項１記載の清掃用器具。
【請求項３】
清掃用端部を棒状体の軸線方向の両端部に有し、挿通保持孔の軸線方向の寸法が、挿通保持孔の拡大部における棒状体の軸線方向に直交し且つ挿通保持孔の貫通方向に直交する方向の寸法の３乃至３０倍である請求項１又は２記載の清掃用器具。
【請求項４】
清掃用端部を棒状体の一端部にのみ有し、挿通保持孔の軸線方向の寸法が、挿通保持孔の拡大部における棒状体の軸線方向に直交し且つ挿通保持孔の貫通方向に直交する方向の寸法の１．５乃至１５倍である請求項１記載の清掃用器具。
【請求項５】
挿通保持孔のうち拡大部以外の部分において、棒状体の軸線方向に直交し且つ挿通保持孔の貫通方向に直交する方向に突起する拭材保持用の突起部又は突条部を有する請求項１乃至４の何れか１項に記載の清掃用器具。
【請求項６】
棒状体の軸線方向に直交し且つ挿通保持孔の貫通方向に直交する方向の挿通保持孔の寸法が、上記拡大部を含む全体として又は棒状体の軸線方向の所定部分において、拡大部から清掃用端部に向かう方向において縮小する請求項１乃至５の何れか１項に記載の清掃用器具。
【請求項７】
少なくとも一端部が尖形状をなす清掃用端部である棒状体の軸線方向における中間部に、棒状体の軸線方向に交差する方向に貫通する拭材用の挿通保持孔を有する清掃用器具であって、
前記挿通保持孔は、棒状体の軸線方向に細長く、棒状体の軸線方向に直交し且つ挿通保持孔の貫通方向に直交する方向の寸法が、棒状体の軸線方向において実質上一定であり、
棒状体の軸線方向に直交し且つ挿通保持孔の貫通方向に直交する方向に突起する拭材保持用の突起部又は突条部を有するものであることを特徴とする清掃用器具。
【請求項８】
棒状体の軸線方向の両端部が、互いに形状又は寸法が異なる尖形状をなす清掃用端部である請求項１乃至７の何れか１項に記載の清掃用器具。
【請求項９】
一方の清掃用端部はへら状であり、他方の清掃用端部は尖状である請求項８記載の清掃用器具。
【請求項１０】
請求項１乃至９の何れか１項に記載の清掃用器具と、拭材を備え、
前記拭材の少なくとも一部が前記清掃用器具の挿通保持孔に挿通保持され、その拭材の他の部分が前記清掃用器具の清掃用端部を覆ってなる清掃具。
【発明の詳細な説明】
【技術分野】
【０００１】
本発明は、隙間や細部等を拭材を用いて清掃するために用いる清掃用器具及び清掃具に関する。
【背景技術】
【０００２】
登録実用新案第３０１７５９２号公報には、ブラシやスポンジ等を備えた摺洗具に関する発明として、把持部材（１）の一端に主摺洗部材（２）が取り付けられると共に、前記把持部材（１）に、前記主摺洗部材（２）より相対的に小さな補助摺洗部材（３）が前記把持部材（１）に設けられた収納空間（４）に収納される折畳収納位置と前記収納空間（４）から取り出されて使用可能な状態となる展開使用位置とに転換自在な態様で枢着されてなることを特徴とする摺洗具の発明が記載されている。
【０００３】
この摺洗具によれば、補助摺洗部材を把持部材の収納空間から取り出して展開使用位置とすることにより、把持部材を把持した状態で補助摺洗部材を用いて、密封容器の蓋に形成された嵌合用溝部等のような比較的細かい部分の摺洗に供することができる。
【０００４】
しかしながら、洗浄に必ずしも適さない箇所、例えば家具や建具等の隙間や細部等の清掃には、布等の拭材を用いて清掃することを要する。
【先行技術文献】
【特許文献】
【０００５】
【特許文献１】登録実用新案第３０１７５９２号公報
【発明の概要】
【発明が解決しようとする課題】
【０００６】
本発明は、拭材により隙間や細部等の清掃対象箇所を効率的に清掃することができる清掃用器具及び清掃具を提供することを目的とする。
【課題を解決するための手段】
【０００７】
本発明の清掃用器具及び清掃具は、次のように表すことができる。
【０００８】
(1) 少なくとも一端部が尖形状をなす清掃用端部である棒状体の軸線方向における中間部に、棒状体の軸線方向に交差する方向に貫通する拭材用の挿通保持孔を有する清掃用器具であって、
前記挿通保持孔は、棒状体の軸線方向に細長く、その挿通保持孔における、棒状体の軸線方向において前記清掃用端部側の端部から逆側へ離れた位置に、棒状体の軸線方向に直交し且つ挿通保持孔の貫通方向に直交する方向の寸法が拡大した拡大部を有することを特徴とする清掃用器具。
【０００９】
拭材の少なくとも一部を、棒状体の挿通保持孔に挿通して棒状体に保持された状態とし、対象とする清掃端部をその拭材により覆い、拭材の別の位置を支持（例えば棒状体に対し支持）することにより、その尖形状をなす清掃端部により裏側から支持された状態で拭材により清掃対象箇所（特に、隙間や細部等）を効率的に清掃することができる。
【００１０】
挿通保持孔に対する拭材の挿通は、前記拡大部又は拡大部及びその付近において行うことにより、比較的容易に行うことができる。
【００１１】
前記拡大部又は前記拡大部及びその付近において挿通保持孔に挿通した拭材を、その挿通保持孔に対し、対象とする清掃端部側へずらして、挿通保持孔における、棒状体の軸線方向に直交し且つ挿通保持孔の貫通方向に直交する方向の寸法が減少する位置に拭材が移動することにより、又は、挿通保持孔に対する拭材の挿通を、前記拡大部又は前記拡大部及びその付近を中心に行い、挿通保持孔に対する拭材の挿通を進めて棒状体の軸線方向に直交し且つ挿通保持孔の貫通方向に直交する方向の寸法が減少する位置に拭材が及ぶようにすることにより、棒状体に対し拭材の保持を強めた状態で尖形状をなす清掃端部により裏側から支持された状態での拭材による清掃対象箇所（特に、隙間や細部等）の清掃を行うことができる。
【００１２】
(2) 清掃用端部を棒状体の軸線方向の両端部に有し、棒状体の軸線方向において挿通保持孔の中間部に１箇所の拡大部を有する上記(1)記載の清掃用器具。
【００１３】
(3) 清掃用端部を棒状体の軸線方向の両端部に有し、挿通保持孔の軸線方向の寸法が、挿通保持孔の拡大部における棒状体の軸線方向に直交し且つ挿通保持孔の貫通方向に直交する方向の寸法の３乃至３０倍である上記(1)又は(2)記載の清掃用器具。
【００１４】
(4) 清掃用端部を棒状体の一端部にのみ有し、挿通保持孔の軸線方向の寸法が、挿通保持孔の拡大部における棒状体の軸線方向に直交し且つ挿通保持孔の貫通方向に直交する方向の寸法の１．５乃至１５倍である上記(1)記載の清掃用器具。
【００１５】
(5) 挿通保持孔のうち拡大部以外の部分において、棒状体の軸線方向に直交し且つ挿通保持孔の貫通方向に直交する方向に突起する拭材保持用の突起部又は突条部を有する上記(1)乃至(4)の何れか１項に記載の清掃用器具。
【００１６】
(6) 棒状体の軸線方向に直交し且つ挿通保持孔の貫通方向に直交する方向の挿通保持孔の寸法が、上記拡大部を含む全体として又は棒状体の軸線方向の所定部分において、拡大部から清掃用端部に向かう方向において縮小する上記(1)乃至(5)の何れか１項に記載の清掃用器具。
【００１７】
(7) 少なくとも一端部が尖形状をなす清掃用端部である棒状体の軸線方向における中間部に、棒状体の軸線方向に交差する方向に貫通する拭材用の挿通保持孔を有する清掃用器具であって、
前記挿通保持孔は、棒状体の軸線方向に細長く、棒状体の軸線方向に直交し且つ挿通保持孔の貫通方向に直交する方向の寸法が、棒状体の軸線方向において実質上一定であり、
棒状体の軸線方向に直交し且つ挿通保持孔の貫通方向に直交する方向に突起する拭材保持用の突起部又は突条部を有するものであることを特徴とする清掃用器具。
【００１８】
拭材の少なくとも一部を、棒状体の挿通保持孔に挿通して棒状体に保持された状態とし、対象とする清掃端部をその拭材により覆い、拭材の別の位置を支持（例えば棒状体に対し支持）することにより、その尖形状をなす清掃端部により裏側から支持された状態で拭材により清掃対象箇所（特に、隙間や細部等）を効率的に清掃することができる。
【００１９】
挿通保持孔に対する拭材の挿通を、拭材保持用の突起部又は突条部が存在しない部分において行い、挿通保持孔に挿通した拭材を、拭材保持用の突起部又は突条部が存在する位置へずらすことにより、又は、挿通保持孔に対する拭材の挿通を、挿通保持孔のうち拭材保持用の突起部又は突条部が存在しない部分を中心に行い、挿通保持孔に対する拭材の挿通を進めて拭材保持用の突起部又は突条部が存在する位置に拭材が及ぶようにすることにより、棒状体に対し拭材の保持を強めた状態で尖形状をなす清掃端部により裏側から支持された状態での拭材による清掃対象箇所（特に、隙間や細部等）の清掃を行うことができる。
【００２０】
(8) 棒状体の軸線方向の両端部が、互いに形状又は寸法が異なる尖形状をなす清掃用端部である上記(1)乃至(7)の何れか１項に記載の清掃用器具。
【００２１】
(9) 一方の清掃用端部はへら状であり、他方の清掃用端部は尖状である上記(8)記載の清掃用器具。
【００２２】
(10) 上記(1)乃至(9)の何れか１項に記載の清掃用器具と、拭材を備え、
前記拭材の少なくとも一部が前記清掃用器具の挿通保持孔に挿通保持され、その拭材の他の部分が前記清掃用器具の清掃用端部を覆ってなる清掃具。
【発明の効果】
【００２３】
本発明の清掃用器具及び清掃具によれば、拭材の少なくとも一部を、棒状体の挿通保持孔に挿通して棒状体に保持された状態とし、対象とする清掃端部をその拭材により覆い、拭材の別の位置を支持することにより、その尖形状をなす清掃端部により裏側から支持された状態で拭材により隙間や細部等の清掃対象箇所を効率的に清掃することができる。
【図面の簡単な説明】
【００２４】
【図１】清掃具の斜視図である。
【図２】清掃用器具の正面図である。
【図３】清掃用器具の平面図である。
【発明を実施するための形態】
【００２５】
[1] 本発明の実施の形態を、図面を参照しつつ説明する。
【００２６】
図面は何れも本発明の清掃用器具及び清掃具の実施の形態の例に関するものである。
【００２７】
この清掃用器具Ａは、両端部が尖形状をなす清掃用端部Ａ１・Ａ２である棒状体Ｂの軸線方向における中間部に、棒状体Ｂの軸線方向に直交する方向に貫通する拭材用の挿通保持孔Ｂ１を有する。
【００２８】
(1) 棒状体Ｂは、全体としては横断面円形状であり、把持して清掃に使用する状態において実質上湾曲しない硬質の合成樹脂製である。
【００２９】
(2) 棒状体Ｂの一端部に形成された一方の清掃用端部Ａ１は、棒状体Ｂの軸線方向に直交する方向のうち一方向において一端部の先端に向かって相対する双方向に寸法が減少して前記一方向における中央位置に収斂するへら状である。
【００３０】
棒状体Ｂの他端部に形成された他方の清掃用端部Ａ２は、棒状体Ｂの軸線方向に直交する全方向において一端部の先端に向かって均等状に寸法が減少する略円錐状をなし、先端部は先端に向かって凸の半球面状をなす尖状である。
【００３１】
(3) 挿通保持孔Ｂ１は、棒状体Ｂの軸線方向における中央部において、棒状体Ｂの軸線方向に直交する方向に貫通するものであって、拭材Ｃを挿通保持するためのものである。
【００３２】
拭材Ｃの厚さや材質によるが、挿通保持孔Ｂ１は、拭材Ｃを一回以上挿通し得るものであればよい。
【００３３】
拭材Ｃとしては、例えば布又はその他のシート状の拭材を用いることができる。
【００３４】
(4) 挿通保持孔Ｂ１は、棒状体Ｂの軸線方向に細長い構成であり、その挿通保持孔Ｂ１における、棒状体Ｂの軸線方向において挿通保持孔Ｂ１の中央部に、棒状体Ｂの軸線方向に直交し且つ挿通保持孔Ｂ１の貫通方向に直交する方向の寸法（所定方向寸法）が他の部分に比し約２倍に拡大した拡大部Ｂ１ａを１つ有する。
【００３５】
挿通保持孔Ｂ１の軸線方向の寸法は、拡大部Ｂ１ａにおける棒状体Ｂの軸線方向に直交し且つ挿通保持孔Ｂ１の貫通方向に直交する方向の寸法の約７倍である。
【００３６】
拡大部Ｂ１ａの形状は、両清掃用端部Ａ１・Ａ２側においてそれぞれ前記所定方向寸法が漸次縮小するものである。
【００３７】
挿通保持孔Ｂ１のうち拡大部Ｂ１ａ以外の部分は、棒状体Ｂの軸線方向に直交し且つ挿通保持孔Ｂ１の貫通方向に直交する方向の寸法が全体として実質上一定である。
【００３８】
なお、挿通保持孔Ｂ１の拡大部Ｂ１ａ以外の部分における両端部に近い位置に、それぞれ、棒状体Ｂの軸線方向に直交し且つ挿通保持孔Ｂ１の貫通方向に直交する方向の一方の側から他方の側に向いて突起した拭材保持用の突起部Ｂ２を有する。一方の端部側の突起部Ｂ２と他方の端部側の突起部Ｂ２の突起の向きは相対する向きである。
【００３９】
(5) 拡大部Ｂ１ａ又は拡大部Ｂ１ａ及びその付近において挿通保持孔Ｂ１に挿通した拭材Ｃを、その挿通保持孔Ｂ１に対し、対象とする清掃端部側へずらせば、挿通保持孔Ｂ１における、棒状体Ｂの軸線方向に直交し且つ挿通保持孔Ｂ１の貫通方向に直交する方向の寸法が減少する位置に拭材Ｃが移動することにより、棒状体Ｂに対し拭材Ｃの保持を強めることができる。更に、突起部Ｂ２の位置まで拭材Ｃを移動させれば、棒状体Ｂに対し拭材Ｃの保持をより強めることができる。
【００４０】
このようにして少なくとも一部が棒状体Ｂの挿通保持孔Ｂ１に保持された拭材Ｃにより対象とする清掃端部を、例えば、くるむように覆うことにより、その清掃端部により裏側から支持された状態で拭材Ｃにより清掃対象箇所を効果的に清掃することができる。
【００４１】
拭材Ｃの厚み、材質、大きさによるが、一つの拭材Ｃにより両清掃用端部Ａ１・Ａ２をくるんだ状態で、その拭材Ｃの別々の二箇所を棒状体Ｂの挿通保持孔Ｂ１に挿通して保持することもできる。
【００４２】
[2] 本発明の実施の形態を、上記以外の形態を含めて更に説明する。
【００４３】
本発明の清掃用器具は、少なくとも一端部が尖形状をなす清掃用端部である棒状体の軸線方向における中間部に、棒状体の軸線方向に直交する方向に貫通する拭材用の挿通保持孔を有する。
【００４４】
(1) 棒状体は、全体としては、例えば丸棒のように、横断面が円形状又は楕円形状等（曲線状外周の横断面）であるもの、載置した場合に転がりにくく且つ使用者及び周囲の物を傷つけにくい形状のもの（例えば角部が湾曲した多角形状であるもの）が好ましい。
【００４５】
棒状体の材料の好ましい例は合成樹脂であるが、必ずしもこれに限るものではない。合成樹脂としては、把持して清掃に使用する状態において実質上湾曲しない硬質のものを採用することが好ましいが、必ずしもこれに限るものではない。
【００４６】
(2) 棒状体の一端部又は両端部は、尖形状をなす。両端部が尖形状をなす場合は、両端部は互いに形状又は寸法が異なるものとすることが好ましい。
【００４７】
一端部が尖形状をなすものの例（これらに限るものではない）としては、
棒状体の軸線方向に直交する方向のうち一方向において一端部の先端に向かって一定の向きに又は相対する双方向に寸法が減少するもの（すなわち厚さが一定の向きに薄くなるもの又は両側から薄くなるもの。更に、例えば棒状体の軸線方向に直交し且つ前記一方向に直交する方向においても先端に向かって厚さの数倍程度に寸法が減少するものであってもよい。）、より具体的には例えばへら状をなすものを挙げることができる。
【００４８】
別の例としては、
棒状体の軸線方向に直交する全方向において一端部の先端に向かって（均等状に）寸法が減少するもの、より具体的には例えば（正）略円錐状をなすもの（尖状をなすものの例）、
棒状体の軸線方向に直交する２以上の方向（例えば等中心角毎の２又は３以上の方向）において一端部の先端に向かって（均等状に）寸法が減少するもの、より具体的には例えば（正）略ｎ角錐状（ｎは３以上の整数）をなすもの（尖状をなすものの例）
等を挙げることができ、
これらの場合において、先端部は先端に向かって凸の凸曲面状（例えば半球状）をなすもの（尖状をなすものの例）とすることができる。
【００４９】
(3) 挿通保持孔は、棒状体の軸線方向に細長い構成であり、棒状体の軸線方向における中間部において、棒状体の軸線方向に交差する方向に貫通するものであって、拭材を挿通保持するためのものである。
【００５０】
中間部というのは、例えば棒状体の軸線方向における中央を基準とする位置であるが、これに限るものではなく、棒状体の軸線方向において中央から一方の端部の側に偏っていてもよい。
【００５１】
挿通保持孔は、棒状体の軸線方向に交差する方向に貫通する。棒状体の軸線方向に交差する方向というのは、典型的には棒状体の軸線方向に直交する方向であるが、これに限るものではない。例えば２０乃至９０度、好ましくは４５乃至９０度の角度で交差する方向とすることができる。
【００５２】
挿通保持孔は、拭材を挿通し得るものである。拭材は、挿通保持孔に一回挿通し得るものであればよいが、これに限るものではなく、拭材の厚さや材質によるが、例えば、棒状体の異なる軸線方向位置（又は少なくとも一部重複する軸線方向位置）にそれぞれ挿通し得る（従って２回以上挿通し得る）ものとすることもできる。
【００５３】
拭材としては、布等のシート状の拭材が好適であるが、これに限るものではない。
【００５４】
(4) 挿通保持孔における、棒状体の軸線方向において清掃用端部側の端部（清掃用端部を棒状体の軸線方向の両端部に有する場合は対象とする清掃用端部側の端部）から逆側へ離れた位置に、棒状体の軸線方向に直交し且つ挿通保持孔の貫通方向に直交する方向の寸法（所定方向寸法）が拡大した（例えば他の部分に比し１．２倍以上、好ましくは１．５倍以上、より好ましくは１．８倍以上に拡大した）拡大部を有するものとすることができる。
【００５５】
清掃用端部を棒状体の軸線方向の両端部に有する場合は、棒状体の軸線方向において挿通保持孔の中間部（好ましくは中央部）に１箇所の拡大部を有するものとすることができる（尤も、これに限るものではない）。
【００５６】
挿通保持孔の軸線方向の寸法は、例えば、清掃用端部を棒状体の軸線方向の両端部に有する場合において、挿通保持孔の前記拡大部における棒状体の軸線方向に直交し且つ挿通保持孔の貫通方向に直交する方向の寸法の３乃至３０倍程度、好ましくは４乃至１５倍程度（清掃用端部を棒状体の一端部にのみ有する場合は、同じく１．５乃至１５倍程度、好ましくは２乃至１０倍程度）とすることができる。
【００５７】
挿通保持孔は、その貫通方向に直交する断面の形状がほぼ一定であるものとすることができる他、例えば、挿通保持孔のうち拡大部以外の部分において棒状体の軸線方向に直交し且つ挿通保持孔の貫通方向に直交する方向の拭材保持用の突起部又は突条部を設けて挿通した拭材の保持をより確実なものとすることもできる。
【００５８】
挿通保持孔に対する拭材の挿通は、前記拡大部又は拡大部及びその付近において行うことにより、比較的容易に行うことができる。
【００５９】
前記拡大部又は前記拡大部及びその付近において挿通保持孔に挿通した拭材を、その挿通保持孔に対し、対象とする清掃端部側へずらせば、挿通保持孔における、棒状体の軸線方向に直交し且つ挿通保持孔の貫通方向に直交する方向の寸法が減少する位置に拭材が移動することにより、棒状体に対し拭材の保持を強めることができる。或いは、挿通保持孔に対する拭材の挿通を、前記拡大部又は前記拡大部及びその付近を中心に行い、挿通保持孔に対する拭材の挿通を進めて棒状体の軸線方向に直交し且つ挿通保持孔の貫通方向に直交する方向の寸法が減少する位置に拭材が及ぶようにすることにより、棒状体に対し拭材の保持を強めることができる。
【００６０】
拡大部の形状は、対象とする清掃用端部側において前記所定方向寸法が漸次縮小するものとすることにより、拡大部又は拡大部及びその付近において挿通保持孔に挿通した拭材を、その挿通保持孔に対し、対象とする清掃端部側へずらす操作又は挿通保持孔に対する拭材の挿通を進めて棒状体の軸線方向に直交し且つ挿通保持孔の貫通方向に直交する方向の寸法が減少する位置に拭材が及ぶようにする操作を円滑に行い得る。清掃用端部を棒状体の両端部に有する場合は、拡大部の形状は、両清掃用端部側において前記所定方向寸法が漸次縮小するものとすることが好ましい。
【００６１】
棒状体の軸線方向に直交し且つ挿通保持孔の貫通方向に直交する方向の挿通保持孔の寸法は、拡大部以外の部分が全体として一定であるものとすることができる他、例えば、拡大部を含む全体として又は棒状体の軸線方向の所定部分において拡大部から清掃用端部に向かう方向において縮小するものとすることもできる。
【００６２】
(5) また挿通保持孔は、棒状体の軸線方向に直交し且つ挿通保持孔の貫通方向に直交する方向の寸法が、棒状体の軸線方向において実質上一定であり、棒状体の軸線方向に直交し且つ挿通保持孔の貫通方向に直交する方向に突起する拭材保持用の突起部又は突条部を有するものとすることができる。
【００６３】
この場合、挿通保持孔に対する拭材の挿通を、拭材保持用の突起部又は突条部が存在しない部分において行い、挿通保持孔に挿通した拭材を、拭材保持用の突起部又は突条部が存在する位置へずらすことにより、又は、挿通保持孔に対する拭材の挿通を、挿通保持孔のうち拭材保持用の突起部又は突条部が存在しない部分を中心に行い、挿通保持孔に対する拭材の挿通を進めて拭材保持用の突起部又は突条部が存在する位置に拭材が及ぶようにすることにより、棒状体に対し拭材の保持を強めることができる。
【００６４】
(6) このようにして少なくとも一部が清掃用器具の挿通保持孔に保持された拭材により対象とする清掃端部を覆う（例えば、くるむように覆う）ことにより、その清掃端部により裏側から支持された状態で拭材により清掃対象箇所を効果的に清掃することができる清掃具が構成される。
【００６５】
拭材のうち一部のみならず別の部分（例えば清掃端部を覆う部分に対して他方側の部分）も棒状体の挿通保持孔に挿通して保持するものとすることもできる。その場合において清掃用端部を棒状体の両端部に有するものにおいては、一つの拭材により両清掃用端部をくるんだ状態で、その拭材の別々の二箇所を棒状体の挿通保持孔に挿通して保持するものとすることもできる。
【符号の説明】
【００６６】
Ａ      清掃用器具
Ａ１    清掃用端部
Ａ２    清掃用端部
Ｂ      棒状体
Ｂ１    挿通保持孔
Ｂ１ａ  拡大部
Ｂ２    突起部
Ｃ      拭材
【図１】
2019118872.tif 000003
【図２】
2019118872.tif 000004
【図３】
2019118872.tif 000005